(57)【特許請求の範囲】
【請求項１】
画像を記録するプレートを巻き付けて保持させるドラムと、前記プレートの前端部を前記ドラムに固定する前端側クランプ部材と、前記プレートの後端部を前記ドラムに固定する後端側クランプ部材と、前記ドラムの側面に固定された第１の重りと、前記プレートの前端部を前記前端側クランプ部材で固定した後に前記プレートの後端部を前記後端側クランプ部材で固定するために前記ドラムを回転させるドラム回転モータと、前記ドラムの軸に対して前記ドラム回転モータによる前記回転の角度と同一の角度を有して配置された２つの係合部と、前記ドラムの軸に軸支され、第２の重りと前記係合部に係合するロック部材とが設けられたバランス補正ユニットと、前記係合部と前記ロック部材との係合の保持及び解除を切り替えことで前記ドラムの回転と共に前記バランス補正ユニットを回転させるか否かを制御する切替部材とを具備し、前記後端側クランプ部材で前記プレートが固定された際に、前記ドラムの軸を挟んで前記第１の重りと前記第２の重りとが対称位置に配置される第１の状態と、前記第１の重りと前記第２の重りとが前記ドラムの記録回転時における不釣合いを解消する位置に配置される第２の状態とのいづれかになるように前記切替部材を動作させることを特徴とする画像記録装置。
【請求項２】
前記第２の状態とは、前記第１の重り及び前記第２の重りの重量をＭ１、Ｍ２、前記第１の重り及び前記第２の重りの重心から前記ドラムの軸の中心までの距離をＬ１、Ｌ２、前記ドラムの記録回転時における不釣合いをもたらすアンバランス質量をＭ３、このアンバランス質量の重心から前記ドラムの軸の中心までの距離をＬ３とした場合に、Ｍ１・Ｌ１＋Ｍ２・Ｌ２＝Ｍ３・Ｌ３の関係を満たす状態であることを特徴とする請求項１記載の画像記録装置。
【請求項３】
前記プレートの後端部を前記後端側クランプ部材で固定するために前記ドラムが回転し、前記後端側クランプ部材により前記プレートの後端部が固定されるまでの間において、前記係合部と前記ロック部材との係合を前記切替部材により保持することで前記第１の状態を生成することを特徴とする請求項１または請求項２記載の画像記録装置。
【請求項４】
前記プレートの後端部を前記後端側クランプ部材で固定するために前記ドラムが回転し、前記後端側クランプ部材により前記プレートの後端部が固定されるまでの間において、前記係合部と前記ロック部材との係合を前記切替部材により解除することで前記第２の状態を生成し、前記後端側クランプ部材で前記プレートが固定された後に、前記係合部と前記ロック部材との係合を前記切替部材により保持することを特徴とする請求項１乃至請求項３記載の画像記録装置。
【請求項５】
前記ドラムは前記プレートが２枚分保持可能であって、前記プレートが１枚のみ保持された場合に前記ドラムの記録回転時における不釣合いが発生することを特徴とする請求項１乃至請求項４記載の画像記録装置。
【請求項６】
画像を記録するプレートを巻き付けて保持させるドラムと、前記プレートの前端部を前記ドラムに固定する前端側クランプ部材と、前記プレートの後端部を前記ドラムに固定する後端側クランプ部材と、前記ドラムの側面に固定された第１の重りと、前記プレートの前端部を前記前端側クランプ部材で固定した後に前記プレートの後端部を前記後端側クランプ部材で固定するために前記ドラムを回転させるドラム回転モータと、前記ドラムの軸に対して前記ドラム回転モータによる前記回転の角度と同一の角度を有して配置された２つの係合部と、前記ドラムの軸に軸支され、第２の重りと前記係合部に係合するロック部材とが設けられたバランス補正ユニットと、前記係合部と前記ロック部材との係合の保持及び解除を切り替えことで前記ドラムの回転と共に前記バランス補正ユニットを回転させるか否かを制御する切替部材とを有する画像記録装置のバランス補正方法であって、前記後端側クランプ部材で前記プレートが固定された際に、前記ドラムの軸を挟んで前記第１の重りと前記第２の重りとが対称位置に配置される第１の状態と、前記第１の重りと前記第２の重りとが前記ドラムの記録回転時における不釣合いを解消する位置に配置される第２の状態とのいづれかになるように前記切替部材を動作させることを特徴とするバランス補正方法。
【請求項７】
前記第２の状態とは、前記第１の重り及び前記第２の重りの重量をＭ１、Ｍ２、前記第１の重り及び前記第２の重りの重心から前記ドラムの軸の中心までの距離をＬ１、Ｌ２、前記ドラムの記録回転時における不釣合いをもたらすアンバランス質量をＭ３、このアンバランス質量の重心から前記ドラムの軸の中心までの距離をＬ３とした場合に、Ｍ１・Ｌ１＋Ｍ２・Ｌ２＝Ｍ３・Ｌ３の関係を満たす状態であることを特徴とする請求項６記載のバランス補正方法。
【発明の詳細な説明】
【０００１】
【発明の属する技術分野】
本発明は、画像を記録するプレートを巻き付けて保持させるドラムと、プレートの大きさ及び枚数などが異なる複数のプレート取付状態に応じて、回転記録時の不釣り合いを解消するバランス補正ユニットとを備えた画像記録装置に関するものである。
【０００２】
【従来の技術】
平板印刷での画像記録媒体として表面に感材をコーティングした金属製のプレートにレーザ光を照射して画像を記録（露光）する画像記録装置においては、プレートを巻き付けて保持させたドラムを回転すると共に、記録ヘッドをドラムの軸方向に移動させることによってプレートに画像を記録する構成が採用されており、これにより高精度な版面を高速に形成することが可能となる。
【０００３】
この種の画像記録装置では、高速回転するドラムやプレートからなる回転系に不釣り合いがあると、振動による記録精度の低下を招くことから、回転系のバランスを厳密に調整する必要があり、特にドラムに保持させるプレートの大きさや枚数などが異なる多様なプレート取付状態がある場合には、そのプレート取付状態に応じて回転記録時の不釣り合いを解消する必要があり、これに対応したバランス補正装置を備えた画像記録装置が知られている。例えば本願と同一出願人による画像記録装置（特開２００１−２２００６号公報）では、ドラムと同軸的に軸支されたバランサを用いて、釣り合い重りを交換することなく簡単な操作で不釣り合いを修正する構成が開示されている。
【０００４】
【発明が解決しようとする課題】
しかるに、新聞の発行、特に日刊紙の発行では、入稿から組版、降版、刷版並びに印刷の各工程を経て発送に至るまでの所要時間の短縮が強く要望されており、本画像記録装置が用いられる刷版工程も例外ではなく、プレートへの記録処理の高速化と共に、プレートの取り付け・取り外し、並びにバランス補正のための各操作に要する時間を短縮することが望まれる。この点につき、前記の従来構成の画像記録装置は、釣り合い重りの交換作業を不要にすると共にクランプ部材の位置調整に連動してバランス部材を回動させる構成としてバランス補正に要する時間を短縮する工夫がなされているが、新聞紙面印刷で使用されるプレートはドラムの周方向長さが均一で、クランプ部材の位置調整が不要な場合があり、その利点を十分に活かすことができない。
【０００５】
本発明は、このような従来技術の問題点を解消するべく案出されたものであり、その主な目的は、プレートの大きさや枚数などが異なる複数のプレート取付状態に応じたバランス補正が可能で、かつバランス補正に要する時間を削減して生産性の向上を図ることが可能であり、特にプレートの周方向長さが一定、すなわちクランプ部材がドラムに固定されて不動な構成に好適なように構成された画像記録装置を提供することにある。
【０００６】
【課題を解決するための手段】
このような目的を果たすために、本発明においては、画像を記録するプレートを巻き付けて保持させるドラムと、前記プレートの前端部を前記ドラムに固定する前端側クランプ部材と、前記プレートの後端部を前記ドラムに固定する後端側クランプ部材と、前記ドラムの側面に固定された第１の重りと、前記プレートの前端部を前記前端側クランプ部材で固定した後に前記プレートの後端部を前記後端側クランプ部材で固定するために前記ドラムを回転させるドラム回転モータと、前記ドラムの軸に対して前記ドラム回転モータによる前記回転の角度と同一の角度を有して配置された２つの係合部と、前記ドラムの軸に軸支され、第２の重りと前記係合部に係合するロック部材とが設けられたバランス補正ユニットと、前記係合部と前記ロック部材との係合の保持及び解除を切り替えことで前記ドラムの回転と共に前記バランス補正ユニットを回転させるか否かを制御する切替部材とを具備し、前記後端側クランプ部材で前記プレートが固定された際に、前記ドラムの軸を挟んで前記第１の重りと前記第２の重りとが対称位置に配置される第１の状態と、前記第１の重りと前記第２の重りとが前記ドラムの記録回転時における不釣合いを解消する位置に配置される第２の状態とのいづれかになるように前記切替部材を動作させるようにしたものとした。
【０００７】
これによると、切替部材を設定し、プレートをドラムに巻き付ける操作を行うだけで、適正な重量バランスが選択されて安定した記録動作を行うことが可能となり、バランス補正操作に要する時間を削減することができる。
【００１６】
【発明の実施の形態】
以下に添付の図面を参照して本発明の構成を詳細に説明する。
【００１７】
図１は、本発明による画像記録装置を示す斜視図である。この画像記録装置は、新聞紙面用の印刷版となるプレート１をドラム２に巻き付けて保持させ、このドラム２をドラム回転モータ３により回転させると共に記録ヘッド４をリニアモータでドラム２の軸方向に走行させることによりプレート１に画像を記録するものであり、ドラム２の記録回転時の不釣り合いを解消するバランス補正ユニット５をドラム２の片側に備えている。
【００１８】
記録ヘッド４は、マルチビーム方式のレーザ光源を備え、主走査方向（ドラムの周方向）の１走査が終了した後に、副走査方向（ドラムの軸線方向）に所定距離移動させるための送り時間を確保するため、ドラム２の胴回り長さが周方向に配置されるプレート１の一辺の長さより大きくなるようにドラム２の径が設定され、ドラム２にプレート１が巻かれていない領域（ブランキング）が生じるようになっている。
【００１９】
バランス補正ユニット５は、ドラム２と同軸的に軸支されてドラム２に対する配置角度を調整可能なバランス部材６と、所要の配置角度でドラム２に対するバランス部材６の相対回転を不能とするロック部材７とを有し、プレート１の取り付け及び取り外しの際にロック部材７の解除状態でドラム２を回転動作させることでドラム２に対するバランス部材６の配置角度を調整するようにしている。
【００２０】
図２は、図１に示した画像記録装置での複数のプレート取付状態を示す斜視図である。新聞紙面印刷の印刷版となるプレート１には、ドラム２の全幅に対応する全幅プレート（２Ｗ２Ｌサイズ、800mm×1100mm）と、この全幅プレートの半分の幅の半幅プレート（１Ｗ２Ｌサイズ、400mm×1100mm）との２種類があり、図２（ａ）に示すように全幅プレートＰ１が１枚の場合、図２（ｂ）に示すように半幅プレートＰ２が２枚の場合、並びに図２（ｃ）に示すように半幅プレートＰ２が１枚の場合の合計３つの態様がある。図２（ａ）及び（ｂ）に示した両態様は、バランス面で同等であり、以下第１のプレート取付状態として説明する。図２（ｃ）に示した態様は、第２のプレート取付状態とする。
【００２１】
図３は、図１に示した画像記録装置でのプレートの取り付け開始位置（取り外し終了位置）を示す側面図である。図４及び図５は、図１に示した画像記録装置でのプレートの取り付け終了位置（取り外し開始位置）を示す側面図である。図４には、第１のプレート取付状態の場合を示しており、図５には、第２のプレート取付状態の場合を示しており、ドラム２に対するバランス部材６の配置角度が互いに異なっている。
【００２２】
ドラム２には、プレート１の前端部１ａ及び後端部１ｂをそれぞれドラム２に締め付け固定する前端側クランプ部材１１及び後端側クランプ部材１２が開閉可能に設けられている。これらのクランプ部材１１・１２は、プレート１の寸法に応じた所定位置に固定されている。
【００２３】
図３に示した取り付け開始位置においては、前端側クランプ部材１１が押さえローラ１３の近傍にくるようにドラム２の回転位置が調整されており、前端側クランプ部材１１は、ドラム２の頂点Ａからプレート１と相反する側に所定のずれ角θ１をもってずらした位置に配置されている。この取り付け開始位置において開状態で待機させた前端側クランプ部材１１に向けて図示しないプレート供給部からプレート１が送り込まれ、前端側クランプ部材１１を閉じることでプレート１の前端部１ａが締め付け固定される。
【００２４】
ついで押さえローラ１３を押圧位置へ移動させてプレート１をドラム２に押し付けた状態で、所要の方向（ここでは反時計回り）にドラム２を回転させてプレート１をドラム２に巻き付け、後端側クランプ部材１２が押さえローラ１３の近傍にくる取り付け終了位置（図４・図５参照）でドラム２を停止させて、後端側クランプ部材１２を開閉することでプレート１の後端部１ｂがドラム２に固定される。これによりプレート１の取り付けが終了し、記録処理を開始することができる。
【００２５】
他方、ドラム２からプレート１を取り外すには、後端側クランプ部材１２が押さえローラ１３の近傍にくる取り外し開始位置（図４・図５参照）で、押さえローラ１３を押圧位置へ移動させた後、後端側クランプ部材１２を開いてプレート１の固定を解除し、プレート１の後端部１ｂをドラム２から離脱させる。そしてドラム２を逆方向に回転させてプレート１を繰り出し、図示しない排出ガイドローラでプレート１を引き出す。そしてドラム２を取り外し終了位置（図３参照）で停止させた上で前端側クランプ部材１１を開いてプレート１の固定を解除し、排出ガイドローラでプレート１を引き込むと取り外しが終了する。
【００２６】
このドラム２に対するプレート１の取り付け・取り外しの工程では、プレート１の周方向長さに応じた回転角度でドラム２が正逆回転され、このプレート１の取り付け・取り外しの際のドラム２の回転動作に伴って、ドラム２に対するバランス部材６の配置角度の調整が行われる。
【００２７】
ロック部材７は、ドラム２に設けられた係合部１５・１６に対して係脱可能にバランス部材６に設けられており、このロック部材７に接離する切替部材１７で、係合部１５・１６に対するロック部材７の係合離脱によるロック状態とロック解除状態との切り替えを行うようにしている。切替部材１７は、ロック部材７に対してドラム２の径方向に進退動作可能に図示しない支持部材で定位置に支持されている。
【００２８】
ロック部材７は、バランス部材６に対してドラム２の径方向に移動可能にかつドラム２の周方向に移動不能に設けられており、具体的には棒状のロック部材７と略同一幅でドラム２の径方向に長い長孔１８がバランス部材６に形成され、この長孔１８にロック部材７が嵌挿されている。他方、係合部１５・１６は、ロック部材７を受容可能にドラム２の径方向内側を開放された凹部からなっており、この係合部１５・１６にロック部材７が嵌合することでバランス部材６とドラム２との相対回転が不能となる。
【００２９】
ロック部材７は、ばね１９で常時ドラム２の径方向外側に付勢されてドラム２側の係合部１５・１６に係合するロック位置に保持されており、切替部材１７をドラム２の径方向内側に前進させてロック部材７を押し込むことでロック解除位置に移動させることができる。記録回転時には、径方向外向きのばね１９の付勢力に加えて径方向外向きの遠心力でロック部材７が係合部１５・１６に押し付けられ、ロック部材７のロックが解除されるおそれがない。切替部材１７は、クランプ部材１１・１２の固定及びその解除の各動作に連動して、ロック部材７のロック及びその解除の各動作が行われる。
【００３０】
係合部１５・１６は、第１・第２の各プレート取付状態に対応する配置角度にバランス部材６を設定するために一対設けられ、これらの係合部１５・１６の中心Ｏに対する配置角度θ３は、プレート１の取り付け・取り外しの操作に要する回転角度θ２に一致する。すなわち、第１のプレート取付状態に対応する配置角度から第２のプレート取付状態に対応する配置角度にバランス部材６を移動させるためのドラム２の回転角度が、プレート１の取り付け及び取り外しの際のドラム２の回転角度θ２に一致するように設定されている。
【００３１】
第１の係合部１５は、バランス部材６を所定の初期位置、ここではロック部材７が中心Ｏの真横にくる位置に保持した状態で、ドラム２を取り付け開始位置（図３参照）としたときにロック部材７に対向する位置にくるように設けられ、第２の係合部１６は、バランス部材６を初期位置に保持した状態でドラム２を取り付け終了位置（図５参照）としたときにロック部材７に対向する位置にくるように設けられている。
【００３２】
これにより、ドラム２を取り付け開始位置（図３参照）とし、バランス部材６を初期位置として、ロック部材７をロック状態にすることで第１のプレート取付状態に対応する配置角度にバランス部材６が設定され、このロック状態で取り付け回転動作を行わせると、その間、バランス部材６はドラム２と共に回転して取り付け終了位置（図４参照）となる。この場合、記録回転動作が終了した後に、ロック部材４をロック状態にしたままでドラム２に取り外し回転動作を行わせてドラム２を取り外し終了位置（図３参照）まで回転させると、バランス部材６が初期位置に復帰する。
【００３３】
他方、ドラム２を取り付け開始位置（図３参照）とし、バランス部材６を初期位置として、ロック部材７を解除状態にしてバランス部材６の初期位置に静止させたまま、ドラム２に取り付け回転動作を行わせて取り付け終了位置（図５参照）とし、ここでロック部材７をロック状態にすることで第２のプレート取付状態に対応する配置角度にバランス部材６が設定される。この場合、記録回転動作が終了すると、バランス部材６が初期位置となる回転角度にドラム２を調整した上でロック部材７のロックを解除し、このロック解除状態でドラム２に取り外し回転動作を行わせてドラム２を取り外し終了位置（図３参照）まで回転させれば良い。
【００３４】
バランス補正ユニット５は、バランス部材６及びドラム２にそれぞれ固定された第１・第２の重り２１・２２を備えている。これらの重り２１・２２を取り付けない状態では、第１のプレート取付状態で釣り合いがとれるようにドラム２、バランス部材６及びロック部材７などの回転系が設定されている。このため、第１のプレート取付状態に対応したバランス補正状態（図４参照）では、一対の重り２１・２２が慣性力を互いに打ち消し合う釣り合い位置にくるようにバランス部材６が配置され、特にここでは第１・第２の重り２１・２２の回転中心Ｏに対する取付半径、すなわち重心Ｃ１・Ｃ２のうでの長さＬ１・Ｌ２、及び第１・第２の重りの重量Ｍ１・Ｍ２が等しくなるように設定されているため、重り２１・２２が中心Ｏを挟んで対称位置に配置される。
【００３５】
第２のプレート取付状態に対応した第２のバランス調整状態（図５参照）では、半幅プレートに相当するアンバランス量が発生し、このアンバランス量に対応する大きさ及び方向のアンバランス修正量を２つの重り２１・２２が分担して不釣り合いが修正されるようにバランス部材６が配置される。このとき、第１・第２の重り２１・２２のうでの長さＬ１・Ｌ２及び重量Ｍ１・Ｍ２と、アンバランス質量Ｍ３、その重心Ｃ３のうでの長さＬ３とが、次式を満足するように設定される。
Ｍ１・Ｌ１＋Ｍ２・Ｌ２＝Ｍ３・Ｌ３      （式１）
【００３６】
図６は、図１に示した画像記録装置の制御部の概略構成を示している。ここでは、ドラム２の回転位置などを検出するセンサの信号が入力されるセンサ入力部３１と、ドラム回転モータ３の動作を制御するドラムモータ制御部３２と、記録ヘッド４及びリニアモータを制御する記録制御部３３と、クランプ部材１１・１２の動作を制御するクランプ制御部３４と、バランス補正ユニット５の切替部材１７を駆動させる駆動部の動作を制御するバランス補正制御部３５と、ホスト（外部コンピュータ）３６を接続するためのインタフェイス３７と、操作部３８と、プレート取付状態ごとの切替部材１７の駆動タイミングに関する情報などを格納するＲＯＭ３９と、前記各部を制御する主制御部４０とを有している。ホスト３６は、上位の製版システムを構成し、プレート１に記録するための画像データ及びプレート情報を生成・格納する。
【００３７】
図７は、図１に示した画像記録装置での操作の手順を示すフロー図である。まずステップ１にてホスト３６からプレート情報を取得し、つづくステップ２にて主制御部４０で第１・第２のプレート取付状態のいずれに相当するかを判定する。なお、ドラム２及びバランス補正ユニット５は初期状態（図３の取り付け開始位置）に設定されている。
【００３８】
前記ステップ２にて第１のプレート取付状態と判定されるとステップ３に進み、前端側クランプ部材１１によるプレート１の固定操作を行い、バランス補正ユニット５のロックは解除しない。そしてステップ４にてドラム２を回転させながらプレート１をドラム２に巻き付け、つづくステップ５にて取り付け終了位置（図４参照）で後端側クランプ部材１２によるプレート１の固定操作を行う。
【００３９】
ついでステップ６にてドラム２を記録開始位置に調整した上でドラム２の高速回転による記録処理を開始し、記録が終了するとステップ７に進んでドラム２の回転を停止させる。そしてステップ８にて取り外し開始位置（図４参照）で後端側クランプ部材１２によるプレート１の固定を解除し、つづくステップ９にてドラム２を逆回転させてプレート１を繰り出す。ついでステップ１０にて取り外し終了位置（図３参照）で前端側クランプ部材１１によるプレート１の固定を解除してプレート１をドラム２から取り外し、ステップ１１にて待機状態とする。
【００４０】
他方、前記ステップ２にて第２のプレート取付状態と判定されるとステップ１２に進み、前端側クランプ部材１１によるプレート１の固定操作を行い、同時にバランス補正ユニット５のロック状態を解除する。そしてステップ１３にてドラム２を回転させながらプレート１をドラム２に巻き付け、つづくステップ１４にて取り付け終了位置（図５参照）で後端側クランプ部材１２によるプレート１の固定操作を行い、同時にバランス補正ユニット５をロック状態にする。
【００４１】
ついでステップ１５にてドラム２を記録開始位置に調整した上でドラム２の高速回転による記録処理を開始し、記録が終了するとステップ１６に進んでドラム２の回転を停止させる。そしてステップ１７にて取り外し開始位置（図５参照）で後端側クランプ部材１２によるプレート１の固定を解除し、同時にバランス補正ユニット５のロックを解除する。ついでステップ１８にてドラム２を逆回転させてプレート１を繰り出し、つづくステップ１９にて取り外し終了位置（図３参照）で前端側クランプ部材１１によるプレート１の固定を解除してプレート１をドラムから取り外し、同時にバランス補正ユニット５をロックし、つづくステップ２０にて待機状態とする。
【００４２】
図８は、図１に示した画像記録装置の変形例を示す側面図である。ここでは、バランス部材６及びドラム２にそれぞれ取り付けられた第１・第２の重り２１・２２の重量が互いに異なっているが、この場合でも、モーメント量を等しく設定すればバランス補正が可能であり、第１のプレート取付状態では、重り２１・２２が慣性力を互いに打ち消し合う釣り合い位置に配置され、第２のプレート取付状態では、第１・第２の重り２１・２２のうでの長さ（取付半径）Ｌ１・Ｌ２及び重量Ｍ１・Ｍ２と、アンバランス質量Ｍ３及びその重心Ｃ３のうでの長さＬ３とが、前記の式１を満足するように設定される。
【００４３】
図９は、図１に示した画像記録装置の別の変形例を示す上面図である。ここでは、バランス補正ユニット５がドラム２の両側に設けられており、半幅プレートに相当するアンバランス量が生じるドラムの領域に近いバランス補正ユニット５、すなわちプレート１が取り付けられた側と相反する側のバランス補正ユニット５で補正を行うことで、中心軸線方向の不釣り合いの分布に即したバランス補正を行うことができる。また、各バランス補正ユニット５に設けられる重りを半分の重量に設定して、両方のバランス補正ユニット５で補正を行うものとしても良い。
【００４４】
なお、本実施形態においては、図２に示したようにプレートの大きさ及び枚数が互いに異なる第１・第２の取付状態に対応するように構成したが、本発明はこれに限定されるものではなく、この他に、厚さや材質の違いによりプレートの重量が異なるためにバランス補正が必要となる場合にも適用することができる。さらに、本実施形態においては、切替部材を定位置で進退させて切替動作を行わせる都合上、取り付け開始位置と取り外し終了位置とが一致し、取り付け終了位置と取り外し開始位置とが一致する構成したが、切替部材で操作可能なロック部材の位置に幅をもたせる工夫を行えば、必ずしも前記の各位置を一致させる必要はなく、取り付け・取り外しの各工程での開始・終了のタイミングで切替部材の操作範囲内にロック部材が配置されるようにドラムの回転位置を調整すれば良い。
【００４５】
【発明の効果】
このように本発明によれば、ドラムに固定された重りに対するバランス補正ユニットの配置角度を調整するバランス補正操作がプレートの取り付け操作と同時並行的に行われるため、バランス補正に要する時間が削減され、画像記録工程の生産性を高める上で大きな効果が得られる。
【図面の簡単な説明】
【図１】本発明による画像記録装置を示す斜視図
【図２】図１に示した画像記録装置での複数のプレート取付状態を示す斜視図
【図３】図１に示した画像記録装置でのプレートの取り付け開始位置（取り外し終了位置）を示す側面図
【図４】図１に示した画像記録装置における第１のプレート取付状態でのプレートの取り付け終了位置（取り外し開始位置）を示す側面図
【図５】図１に示した画像記録装置における第２のプレート取付状態でのプレートの取り付け終了位置（取り外し開始位置）を示す側面図
【図６】図１に示した画像記録装置の制御部の概略構成を示すブロック図
【図７】図１に示した画像記録装置での操作の手順を示すフロー図
【図８】図１に示した画像記録装置の変形例を示す側面図
【図９】図１に示した画像記録装置の別の変形例を示す上面図
【符号の説明】
１  プレート、１ａ  前端部、１ｂ  後端部
２  ドラム
３  ドラム回転モータ
４  記録ヘッド
５  バランス補正ユニット
６  バランス部材
７  ロック部材
１１  前端側クランプ部材、１２  後端側クランプ部材
１３  押さえローラ
１５  第１の係合部、１６  第２の係合部
１７  切替部材
２１  第１の重り、２２  第２の重り
Ａ  頂点
Ｃ１・Ｃ２・Ｃ３  重心
Ｏ  中心
Ｐ１  全幅プレート、Ｐ２  半幅プレート
【図１】
0003955757.tif 000002
【図２】
0003955757.tif 000003
【図３】
0003955757.tif 000004
【図４】
0003955757.tif 000005
【図５】
0003955757.tif 000006
【図６】
0003955757.tif 000007
【図７】
0003955757.tif 000008
【図８】
0003955757.tif 000009
【図９】
0003955757.tif 000010